(57)【要約】【課題】挟持部材による電源コードの挟持部分に過度の衝撃負荷が加わった場合であっても、本体から抜けにくくする。【解決手段】引込孔２５からハウジング５内に引き込んだ電源コード１０を挟持するコードクランプ７と、コードクランプ７から所定の間隔を隔てて設けられ電源コード１０の介在紐２０を係止する中央リブ４ａとによって、ハウジング５に電源コード１０を固定する。固定の際、２本の介在紐２０の先端を結んでリング部２１を形成し、このリング部２１を中央リブ４ａに引っ掛けて係止し、リング部２１をたるまない程度に適切に緊張させた状態で、コードクランプ７によってシース部１４の挟持部分の位置を調整した後、所要の締付強度で挟持する。【選択図】  図１
2005349508.tif 000002
【特許請求の範囲】
【請求項１】
引込孔からハウジング内に引き込んだ電源コードを挟持部材で挟持してなる電源コードの固定構造であって、
電源コードに内設又はその外側に付設された線状体を、挟持部材から所定の間隔を隔てて設けられた係止部材で係止してハウジングに電源コードを固定する、
ことを特徴とする電源コードの固定構造。
【請求項２】
線状体が、電源コードに内設された介在紐である、
ことを特徴とする請求項１に記載の電源コードの固定構造。
【請求項３】
係止部材が、
引込孔からの引込位置と挟持部材による挟持位置とを結んでなる電源コードの引込方向線上の位置に設けられたものである、
ことを特徴とする請求項１または請求項２に記載の電源コードの固定構造。
【発明の詳細な説明】
【技術分野】
【０００１】
本発明は、ハウジング内に固定した電源コードの固定構造に関し、特に抜け止め技術に関する。
【背景技術】
【０００２】
これまでの電動工具等の電化製品において、電源コードは、本体のハウジング内に引き込まれ、そのシース部がコードクランプ等の挟持部材で締め付けられることによって、挟持されると共に抜け止めされて、ハウジングに固定されていた。
【０００３】
【特許文献１】特開平０８−２１６０６１号公報
【発明の開示】
【発明が解決しようとする課題】
【０００４】
しかし、例えば電動工具の使用の際、その使用者によっては、電源コードを持って製品を上階から下階の者へ落とすように渡したり、電源コードを持って本体を運んだり、電源コードで本体を支えながら電源スイッチ等を操作する等、想定外の取り扱いを行うことがある。このように取り扱われた電源コードは、外部から過度の衝撃負荷を受けることとなる。その際、電源コードが挟持部材から引き抜かれてしまうことがあった。また挟持部材の締め付けをきつくするように設定する事で電源コードの抜けを防止できたとしても、締め過ぎの場合には、電源コードが早期に断線してしまう点で問題があった。
【０００５】
そこで、本発明は上記問題点に鑑み、挟持部材による電源コードの挟持部分に過度の衝撃負荷が加わった場合であっても、本体から抜けにくくできる電源コードの固定構造を提供することを課題とする。
【課題を解決するための手段】
【０００６】
上記課題を解決するため、請求項１の発明に係る電源コードの固定構造は、引込孔からハウジング内に引き込んだ電源コードを挟持部材で挟持してなる電源コードの固定構造であって、電源コードに内設又はその外側に付設された線状体を、挟持部材から所定の間隔を隔てて設けられた係止部材で係止してハウジングに電源コードを固定するように構成される。ここで、線状体とは、電源コードの抗張力を高めるために芯線に沿って予め配設された紐状や網状等の線状補強材や、電源コードを他の構造物等に支持するための線状支持材を含むものをいう。
【０００７】
請求項２の発明に係る電源コードの固定構造は、線状体が、電源コードに内設された介在紐であるように構成される。
【０００８】
請求項３の発明に係る電源コードの固定構造は、係止部材が、引込孔からの引込位置と挟持部材による挟持位置とを結んでなる電源コードの引込方向線上の位置に設けられたものであるように構成される。
【発明の効果】
【０００９】
請求項１の発明によれば、電源コードを挟持部材により挟持するだけでなく、電源コードに内設又はその外側に付設された線状体を係止部材で係止して固定したので、電源コードがハウジングに対する引抜方向に過度の衝撃負荷を受けた場合であっても、電源コードを本体から抜けにくくできる。
【００１０】
請求項２の発明によれば、線状体として電源コードに内設された介在紐を使用したので、介在紐を内設した電源コードを使用している既存製品にも容易に適用可能となる。また介在紐を有していないものについても、介在紐を内設した電源コードが比較的安く購入できる現状から、介在紐を内設した電源コードに取り替えて本発明を安価に適用可能である。
【００１１】
請求項３の発明によれば、引込方向線上に設けられた係止部材を用いて線状体を係止するので、電源コードがハウジングに対する引抜方向に過度の衝撃負荷を受けた場合、その引抜方向を係止部材による抜止方向に一致させることができ、抜け止め効率を向上できる。
【発明を実施するための最良の形態】
【００１２】
以下、本発明の実施の形態を図面に基づいて説明する。図１は、例えばインパクトレンチにおいて、本体のハウジング内における電源コードの固定状態を示し、（ａ）はハウジングの要部分解図、（ｂ）は電源コードの断面図である。電源コード１０は、インパクトレンチを操作する際のグリップ部６を形成するハウジング５内に、グリップ部６の下端面に設けられた引込孔２５から引き込まれている。
【００１３】
この電源コード１０には、線状体である介在紐２０を内設するものとして、例えば＃１６ＡＷＧ２芯タイプのキャブタイヤコードが使用されている。すなわち、電源コード１０は、銅等の導体材料からなる素線１１を絶縁体１２で被覆して芯線１３を形成し、その芯線１３を２本並べた状態で絶縁性の樹脂材からなるシース部１４でまとめて被覆することによって構成されている。さらに、２本の芯線１３とシース部１４との間には、麻等の複数本の細糸からなる介在紐２０が芯線１３に沿って周囲を覆うように全長に配設されている。また電源コード１０は、引き込み先端のシース部１４を取り除くことにより２本の芯線１３及び介在紐２０が所定長さで露出されている。介在紐２０の露出部分は、４本に分割して束ねられている。さらに各芯線１３は、先端の絶縁体１２が取り除かれ素線１１が所定長さで露出されている。
【００１４】
ハウジング５内の引込孔２５近傍には、電源コード１０のシース部１４を挟持する挟持部材としてのコードクランプ７が設けられている。またハウジング５内には、コードクランプ７から所定の間隔を隔てて、商用電源からの電力をモータ駆動回路等に供給するための端子台２ａ，２ｂを位置決め固定するリブが設けられている。リブは、引込孔２５からの電源コード１０の引込位置とコードクランプ７による電源コード１０の挟持位置とを結んでなる電源コード１０の引込方向線ＬＬに対して、その引込方向線ＬＬ上位置に設けられた中央リブ４ａと、同線対称位置に設けられた一対の側部リブ４ｂとから構成されている。端子台２ａ，２ｂは、中央リブ４ａを共用して左右の側部リブ４ｂとによって夫々支持されている。この中央リブ４ａ及び側部リブ４ｂは、ハウジング５の構造強度を高めるとともに、電源コード１０の係止部材としても機能するものとして、ハウジング５に立設されている。
【００１５】
ハウジング５に電源コード１０を固定する手順を説明する。先ずコードガード３０を介して、引込孔２５から引き込んだ電源コード１０をハウジング５内のコードクランプ７に通し、締付強度を調整するネジを締め付けてシース部１４を挟持する。この時、シース部１４の挟持位置は、夫々の芯線１３に余長部分を確保して、一方の芯線１３の素線１１を端子台２ａに接続するとともに他方を端子台２ｂに接続できる位置とする。またこの時のコードクランプ７の締付強度は仮止め程度とする。次に、４本に分割した介在紐２０の内２本を切断し、残りの２本の介在紐２０の先端を結んでリング部２１を形成し、このリング部２１を中央リブ４ａに引っ掛けて係止する。リング部２１をたるまない程度に適切に緊張させた状態で、コードクランプ７によってシース部１４の挟持部分の位置を調整した後、所要の締付強度で本締めして固定する。
【００１６】
次に、上述のように、本発明を適用したインパクトドライバについて電源コードの抜けに関する耐久テストを行ったので、以下にその手順等を説明すると共に結果を示す。
本テストのサンプルは、本発明を適用したインパクトドライバ（以下、発明品とする）と、本発明を適用していないインパクトドライバ（以下、従来品とする）との２点である。また、発明品は、従来品の介在紐を利用してなるものであり、従来品の電源コードから介在紐２０を露出させて、介在紐２０のリング部２１を中央リブ４ａに引っ掛けることによって構成した。尚、本体重量は、発明品及び従来品共に約８．６ｋｇである。
本テストの手順は、発明品及び従来品の夫々の本体を、電源コードで吊下げた状態から約１ｍ持ち上げて自由落下させる。落下させた本体による衝撃荷重を夫々のコードクランプによる電源コードの挟持部分に加え、電源コードの抜け等の不具合が無いかを確認する。
本テストの結果は、発明品では、異常がなかった。また従来品では、１回目の落下で、電源コード１０の一方の芯線１３において、シース部１４、絶縁体１２及び芯線１１が挟持部分で破断した。
結果から、発明品は従来品よりも抜けに関する耐久力が高いことを確認した。この結果は、コードクランプ７による挟持力に加えて、中央リブ４ａによる抜止力が加わることによるものである。
【００１７】
このように、本発明によれば、本体の落下等によって電源コード１０の挟持部分に過度の衝撃負荷が加わった場合であっても、コードクランプ７により挟持するだけでなく、介在紐２０のリング部２１を中央リブ４ａに係止して固定したので、本体のハウジング５から電源コード１０を抜けにくくできる。また、既設の中央リブ４ａを係止部材として使用できるので、新規な構成部品を追加することなく、従来品の構成を利用して本発明を適用可能である。従って、本インパクトドライバと同様の構成を備える他の電動工具等の既存製品にも本発明を容易に展開して適用可能である。また電源コードに介在紐を有していないものについては、介在紐を内設した電源コードに取り替えて適用可能である。この場合、特に線状体として電源コードに内設された介在紐を使用すれば、介在紐を内設した電源コードが比較的安く購入できる現状から、本発明を安価に適用可能である。また、引込方向線ＬＬ上に設けられた中央リブ４ａを係止部材として用いるので、電源コード１０がハウジング５に対する引抜方向に過度の衝撃負荷を受けた場合、その引抜方向を係止部材による抜止方向に一致させることができ、衝撃負荷と抜止力とを拮抗させて、抜け止め効率を向上できる。さらに、中央リブ４ａにより確保した抜止力に相当する分だけ、コードクランプによる締め付け力を低減して挟持することも可能となり、挟持部分での電源コードの破断をより長期間に亘って防止可能となる。
【００１８】
尚、本発明は上記実施形態に限定されるものではなく、以下に例示するように、本発明の趣旨を逸脱しない範囲で各部の形状並びに構成を適宜に変更して実施することも可能である。
（１）本発明は、インパクトレンチに限らず、例えば電動ドライバ、ドリル、カンナ、カッタ等、移動可能な電動工具はもちろん、ヘアドライヤー等のいわゆる家庭用電化製品等、電源コードの固定部分に対して引き抜きによる過度の衝撃負荷がかかる恐れのあるものにも適用可能である。
（２）線状体は、電源コードに内設されたものに限らず、例えば介在紐や支持線等を外側に付設するものであっても良い。
（３）電源コードは、線状体が４本等の束に分割できる集合線に限らず、リング部を形成できるものであれば、２本等、他の本数の単線からなるものでも良い。
（４）係止部材は引込方向線ＬＬに対して左右対称位置に設けられた一対の側部リブ４ｂを用いることもでき、これにリング部２１を掛け渡して係止しても良い。また、一対の側部リブ４ｂには、電源コード１０の介在紐からリング部を２つ形成し、夫々にリング部を係止しても良い。
【図面の簡単な説明】
【００１９】
【図１】本発明に係る電源コードの固定構造の一実施形態を示し、（ａ）はハウジングの要部分解図、（ｂ）は電源コードの断面図である。
【符号の説明】
【００２０】
２ａ，２ｂ・・端子台、４ａ・・中央リブ（係止部材）、４ｂ・・側部リブ（係止部材）、５・・ハウジング、６・・グリップ部、７・・コードクランプ（挟持部材）、１０・・電源コード、１１・・素線、１２・・絶縁体、１３・・芯線、１４・・シース部、２０・・線状体としての介在紐、２１・・リング部、２５・・引込孔、ＬＬ・・引込方向線、３０・・コードガード。
【図１】
2005349508.tif 000003